(57)【要約】【課題】塵埃や泥水に対して十分に保護されるとともに、設置及び撤去が容易な温度計を提供する。【解決手段】熱電対４と、熱電対４が出力する信号を解析して温度を算出する温度計本体５とからなる温度計１において、温度計本体５を収容するケース２と、ケース２に固定されて、その先端に熱電対４を収容する保護管３を備え、熱電対４と温度計本体５を接続するリード線６は、保護管３の中を通る。また保護管３の先端側は、折り曲げ不能な剛体管１１で構成されるとともに、保護管３の基端側は、折り曲げ自在な可撓管１２で構成される。【選択図】図１
0003156702.tif 000002
【実用新案登録請求の範囲】
【請求項１】
温度検出素子と、前記温度検出素子が出力する信号を解析して温度を算出する本体部とからなる温度計において、
前記本体部を収容するケースと、
前記ケースに固定されて、その先端に前記温度検出素子を収容する保護管を備える
ことを特徴とする温度計。
【請求項２】
前記温度検出素子と前記本体部はリード線で接続されるとともに、
前記リード線は前記保護管の中を通る
ことを特徴とする請求項１に記載の温度計。
【請求項３】
前記保護管の少なくとも一部は、折り曲げ自在な可撓管で構成される
ことを特徴とする請求項１に記載の温度計。
【請求項４】
前記保護管の先端部は、折り曲げ不能な剛体管で構成されるとともに、
前記保護管の基端部は、折り曲げ自在な可撓管で構成される
ことを特徴とする請求項３に記載の温度計。
【考案の詳細な説明】
【技術分野】
【０００１】
本考案は温度計、特に屋外等で使用される温度計、に関する。
【背景技術】
【０００２】
農業分野では、圃場の土壌の温度を計測する温度計が必要とされる。例えば、特許文献１には、土壌を蒸気で加熱して消毒する蒸気土壌消毒システムが提案されているが、このシステムでは、多数の温度センサを地中に配置している（特許文献１の図２）。
【０００３】
言うまでもないことだが、このようなシステムに使用される温度センサは、塵埃や泥水から保護される必要がある。また、温度センサは信号線を介してシステムの制御装置と接続される必要がある。
【０００４】
また、特許文献２には、防水ケース内に温度検出回路等を有する電子基板を収容するとともに、防水処理された感温スリーブから延びるケーブルを防水ケースの中に引き入れて感温スリーブと温度検出回路を接続したデジタル温度計が開示されている。
【先行技術文献】
【特許文献】
【０００５】
【特許文献１】特開２００５−１１０６４６号公報
【特許文献２】特開２００７−２８５７６６号公報
【考案の概要】
【考案が解決しようとする課題】
【０００６】
しかしながら、特許文献２のデジタル温度計を特許文献１の蒸気土壌消毒システムに使用する場合は、消毒の実施に先だって消毒対象の圃場を掘り起こして、感温スリーブとケーブルを土壌中に埋め、完了後に掘り出す必要があった。つまり、設置と撤去に大きな手間を必要とすると言う問題があった。
【０００７】
本考案は、このような背景の下でなされたものであり、塵埃や泥水に対して十分に保護されるとともに、設置及び撤去が容易な温度計を提供することを目的とする。
【課題を解決するための手段】
【０００８】
上記課題を解決するため、本考案の温度計は、温度検出素子と、前記温度検出素子が出力する信号を解析して温度を算出する本体部とからなる温度計において、前記本体部を収容するケースと、前記ケースに固定されて、その先端に前記温度検出素子を収容する保護管を備えることを特徴とする。
【０００９】
前記温度検出素子と前記本体部はリード線で接続されるとともに、前記リード線は前記保護管の中を通るようにしてもよい。
【００１０】
前記保護管の少なくとも一部は、折り曲げ自在な可撓管で構成されるようにしてもよい。
【００１１】
また、前記保護管の先端部を折り曲げ不能な剛体管で構成するとともに、前記保護管の基端部を折り曲げ自在な可撓管で構成するようにしてもよい。
【考案の効果】
【００１２】
本考案によれば、温度計の本体部をケースに、温度検出素子を保護管に、それぞれ収容しているので、本体部と温度検出素子の双方が塵埃や泥水から保護される。そのため屋外での使用に耐えることができる。また、本体部と温度検出素子を接続するリード線を保護管の中に通しているので、保護管の先端を測定対象に突き刺すだけで温度計の設置が完了する。また、保護管の先端を測定対象から引き抜くだけで温度計の撤去が完了する。したがって、温度計の設置及び撤去が簡単になる。また、保護管の一部を可撓管で構成すれば、ケースの姿勢や向きを自在に変更することができる。
【図面の簡単な説明】
【００１３】
【図１】本考案の実施形態の一例を示す温度計の構成図であり、（ａ）は温度計全体の外形図、（ｂ）はケースの平断面図、（ｃ）はケースの横断面図をそれぞれ示している。
【図２】温度計本体の概念的な構成図である。
【図３】温度計の使用形態を示す図である。
【考案を実施するための形態】
【００１４】
以下、図１に示した温度計１を例にして、本考案の具体的な実施形態を説明する。
【００１５】
図１（ａ）に示すように、温度計１はケース２と保護管３を備え、保護管３の先端には熱電対４を、ケース２の内部には温度計本体５をそれぞれ備える。また、熱電対４から延びるリード線６は、保護管３の中を通ってケース２の中に入り、温度計本体５に接続されている。
【００１６】
ケース２は、プラスティック製の密封容器であり、図１（ｂ）、（ｃ）に示すように、温度計本体５をその内部に収容して、塵埃や泥水から保護している。またケース２は、本体７と蓋体８から構成され、蓋体８はヒンジ９によって、本体７に開閉自在に連結されている。また、蓋体８は留具１０によって本体７に係止されて、本体７を閉蓋する状態を保っている。なお、図１（ｂ）はケース２の平断面を、図１（ｃ）はケース２を図１（ａ）のＡ−Ａ’で切断した横断面を、それぞれ拡大して示している。
【００１７】
また、保護管３は、図１（ａ）に示すように、先端が閉塞されて、基端（ケース２側）が開放された金属製の管であり、該先端の内部に熱電対４を収容して、塵埃や泥水から保護している。また保護管３の先端側の約半分は剛体管１１で構成され、基端側は可撓管１２で構成され、両者は接続部１３を介して連結されている。なお、本実施形態における保護管３の長さは約１ｍである。
【００１８】
剛体管１１は、温度計１の使用者の腕力や、温度計１の使用中に加わる外力（例えば、後述するように保護管３を地面に突き刺す際に、保護管３が地面から受ける反力）によっては、殆ど変形しない程度の剛性を備える直径約５ｍｍの金属製の管である。なお、ここで言う「剛体」とは、可撓管１２に比べて大きな剛性を有する物体を指し、固体力学において仮想される剛体、つまり、外力によって生じる歪みが常に０となる物体を指す訳ではない。
【００１９】
可撓管１２は、直径約７ｍｍの金属管であり、腕力によって容易に折り曲げることができる。ただし、後述するように、ケース２（及び温度計本体５）に加わる重力によっては曲がらない程度の剛性は必要とされる。
【００２０】
また、保護管３（可撓管１２）の基端部には口金１４が取付けられて、口金１４の先端はケース２の内部に挿入されている。また、ケース２の内部では、口金１４の先端にはナット１５が螺合している（図１（ｂ）参照）。つまり、保護管３（可撓管１２）は口金１４とナット１５によってケース２に締結されている。
【００２１】
また、ナット１５とケース２の間には図示しない固体シール（ガスケット、Ｏリングなど）が挟持されて、保護管３とケース２の結合部分からの塵埃や水の侵入を防いでいる。あるいは、固体シールに代えて、液体シールを該結合部分に塗布してもよい。
【００２２】
熱電対４は、温度の変化によって起電力が変化する温度検出素子である。つまり熱電対４は、温度の変化を起電力の変化に変換する素子である。
【００２３】
温度計本体５は、熱電対４が出力する信号、つまりリード線６に流れる電流の大きさを解析して温度を算出する装置であり、液晶表示板１６を備えて、算出された温度の値を表示することができる（図１（ｂ）参照）。なお、ケース２は透明窓２ａを備えているので、液晶表示板１６に表示される値をケース２の外から視認することができる
【００２４】
また、図２に示すように、温度計本体５は、液晶表示板１６に加えて、解析部１７、メモリ１８及び出力インターフェイス（Ｉ／Ｆ）１９を備える。
【００２５】
解析部１７は熱電対４が出力する信号（＝リード線６に流れる電流）を解析して温度を算出する電子回路であり、いわゆるワンチップコンピュータに解析手順を記述したプログラムを書き込んで構成される。また、解析部１７が算出した温度の値は液晶表示板１６に表示される。また、解析部１７が算出した温度の値は所定のスケジュール（前記プログラムで規定されたスケジュール）に従って、逐次、メモリ１８に記憶される。つまり、メモリ１８には、熱電対４が検出した温度を時系列に記憶・蓄積する。また、メモリ１８に記憶された温度の値は、出力インターフェイス１９を通じて、図示しない外部装置に出力される。なお、温度計本体５を駆動する電力は温度計本体５に内蔵された図示しない電池から供給される。
【００２６】
さて、温度計１は、例えば、図３（ａ）に示すように地面２０に突き立て、つまり、保護管３を土壌２１の中に差し入れて、使用される。前述したように、熱電対４は保護管３で保護されているから、この時に熱電対４を破損する危険は非常に小さい。また、土壌２１や泥水で熱電対４の機能を損なうこともない。また、温度計本体５はケース２で保護されているから、温度計１を屋外に設置しても、塵埃や降雨で温度計本体５の機能が損なわれることもない。
【００２７】
また、温度計１は、保護管３を地面２０に突き刺し、あるいは引き抜くだけで、設置及び撤去することができる。つまり温度計１は、設置及び撤去が非常に簡単である。
【００２８】
また、図３（ｂ）に示すように、可撓管１２を曲げて、ケース２の姿勢を自在に変更することができる。例えば、温度計本体５の液晶表示板１６が観測者にとって都合のよい（つまり、数値を読み取りやすい）方向を向くように、ケース２の姿勢を変更することができる。また、可撓管１２は適度な固さを備えているので、可撓管１２に力を加えて曲げた後で、その力を除去しても、曲がった状態を保つことができる。つまりケース２（及び温度計本体５）の重量程度では可撓管１２は曲がらない。
【００２９】
あるいは、図３（ｃ）に示すように、畝２２に保護管３を水平に差し込んで、畝２２の内部の温度を計測する場合、可撓管１２を直角に曲げれば、液晶表示板１６に表示される文字列が水平に並ぶので、数値を読み取りやすい。
【００３０】
なお、以上説明した実施形態は例示であって、本考案の技術的範囲は上記実施形態には限定されない。本考案は実用新案登録請求の範囲に記載された技術的思想の範囲において、自由に変形、応用、あるいは改良して実施することができることは言うまでもない。
【００３１】
例えば、上記実施形態では、ケース２をプラスティック製の容器としたが、ケース２の素材はプラスティックには限定されない。各種の素材を任意に選択することができる。金属をケース２の素材に選んでもよいし、金属とプラスティックあるいは各種繊維等からなる複合材料をケース２の素材に選んでもよい。
【００３２】
また、上記実施形態では、ヒンジ９を介して蓋体８を本体７に開閉自在に連結し、留具１０を使って蓋体８を閉蓋状態に保持するように構成されたケース２を例示したが、ヒンジ９や留具１０の形状や形式は図示された物には限定されないし、ヒンジ９や留具１０以外の手段で蓋体８を本体７に結合してもよい。例えばビスやボルト・ナットを使って、蓋体８を本体７に着脱自在に結合してもよい。あるいは、蓋体８を本体７に嵌合して、蓋体８又は本体７の弾性力で蓋体８を本体７に保持するようにしてもよい。
【００３３】
また、上記実施形態では、金属を素材とする保護管３を使用する例を示したが、保護管３の素材は金属には限定されない。各種の素材を任意に選択することができる。例えば、保護管３の素材にプラスティックを選んでもよいし、金属とプラスティックあるいは各種繊維等からなる複合材料を選んでもよい。
【００３４】
また、保護管３の一部を構成する可撓管１２は、「腕力で自由に曲げることが可能」であり、「曲げた状態を保持することが可能」であれば、その形状や構造は限定されない。例えば、縦断面において波形が連続する蛇腹管、コルゲート管、あるいは、細長い帯状の素材を螺旋状に巻重ねて構成される螺旋管、スパイラル管など各種の形状・構造を備える管を選ぶことができる。
【００３５】
また、上記実施形態では、保護管３の先端側の約半分を剛体管１１とし、残りを可撓管１２とする例を示したが、剛体管１１と可撓管１２の長さの比率は、用途に応じて最適な値を選べばよい。保護管３の全長を剛体管１１としてもよいし、保護管３の全長を可撓管１２としてもよい。また、保護管３の長さも、用途に応じて最適な値を選べばよい。
【００３６】
また、上記実施形態では、温度検出素子の具体例として熱電対４を示したが、本考案を構成する温度検出素子は熱電対４には限定されない。各種の温度検出素子を任意に選択することができる。例えば、各種のサーミスタや白金薄膜のような温度によって電気抵抗が変化する素子を温度検出素子に選んでもよい。あるいは、温度によって容量が変化するコンデンサ、つまり温度によって誘電率が変化する感温体を誘電体とするコンデンサを温度検出素子に選んでもよい。
【００３７】
また、上記実施形態では、温度計本体５に、液晶表示板１６、解析部１７、メモリ１８及び出力インターフェイス１９を備える例を示したが、本考案に係る温度計はかかる構成要素を全て備えるものには限定されない。温度計本体５は、少なくとも解析部１７を備えていれば十分であり、液晶表示板１６、メモリ１８及び出力インターフェイス１９は温度計本体５の必須の構成要素ではない。
【００３８】
例えば、温度データを図示しない外部装置に出力して、該外部装置の表示装置に表示するようにすれば、液晶表示板１６を省くことができる。
【００３９】
あるいは、温度データを、該外部装置の記憶装置に記憶するようにすれば、メモリ１８を省くことができる。
【００４０】
また、温度計１を全くのスタンドアローン状態で使用するのであれば、出力インターフェイス１９は不要である。
【００４１】
逆に、温度計１に出力インターフェイス１９を備えて、温度計１で検出した温度データを、出力インターフェイス１９を介して、外部装置に実時間で出力するようにしてもよい。
【００４２】
また、出力インターフェイス１９にトランスミッタを備えて、温度計１で検出した温度データを無線で外部装置に出力するようにしてもよい。
【００４３】
また、上記実施形態では、温度計１を農業分野において使用する例、つまり地中温度の計測に使用する例を示したが、温度計１の用途は、このような例には限定されない。例えば、養殖池の水温の計測、醸造槽の槽内温度の計測、あるいは調理用オーブンの温度計測等、各種の分野および計測対象に応用することができる。
【符号の説明】
【００４４】
１  温度計
２  ケース
２ａ  透明窓
３  保護管
４  熱電対
５  温度計本体
６  リード線
７  本体
８  蓋体
９  ヒンジ
１０  留具
１１  剛体管
１２  可撓管
１３  接続部
１４  口金
１５  ナット
１６  液晶表示板
１７  解析部
１８  メモリ
１９  出力インターフェイス
２０  地面
２１  土壌
２２  畝
【図１】
0003156702.tif 000003
【図２】
0003156702.tif 000004
【図３】
0003156702.tif 000005